(57)【要約】【課題】  監視カメラの映像情報を映像情報管理用データベースに保存すると共に、特定の人物が映っている映像情報を抽出できるようにした撮影映像管理システムを提供する。【解決手段】  認証用ＩＣカードリーダライタは、ＩＣカードからカード固有情報を読み取る手段と、サーバにカード固有情報を送信する手段と、サーバから撮影時刻情報と、撮影した監視カメラの特定が可能に定められたカメラ固有情報とを受信する手段と、撮影時刻情報とカメラ固有情報とを関係付けてＩＣカードに書き込む手段とを有し、サーバは、カメラ固有情報と認証用ＩＣカードリーダライタを特定可能に定めたリーダライタ固有情報とを関係付けて登録されているカメラ管理用データベースと、監視カメラから受信した映像情報と、撮影された時刻を特定する撮影時刻情報と、撮影に使用された監視カメラのカメラ固有情報とを関係付けて映像情報管理用データベースに登録する手段とを有する。【選択図】        図１
2007312149.tif 000002
【特許請求の範囲】
【請求項１】
カード固有情報が記憶されているＩＣカードと、本人認証が必要な場所に設置されている本人の認証用ＩＣカードリーダライタと、特定人物が撮影されている映像を収集する際に使用する映像収集用ＩＣカードリーダライタと、前記認証用ＩＣカードリーダライタの使用者の映像が取得可能に設置されている監視カメラと、前記認証用ＩＣカードリーダライタと前記映像収集用ＩＣカードリーダライタと前記監視カメラとが通信可能に接続されているサーバとを有する撮影映像管理システムであって、
前記認証用ＩＣカードリーダライタは、前記ＩＣカードからカード固有情報を読み取る手段と、前記サーバに前記カード固有情報を送信する手段と、前記サーバから撮影時刻情報と、撮影に使用された監視カメラの特定が可能に定められたカメラ固有情報とを受信する手段と、前記撮影時刻情報と前記カメラ固有情報とを関係付けて前記ＩＣカードに書き込む手段とを有し、
前記サーバは、監視カメラと、該監視カメラにより撮影可能な認証用ＩＣカードリーダライタとの関係が判るように、カメラ固有情報と、認証用ＩＣカードリーダライタを特定可能に定めたリーダライタ固有情報とを関係付けて登録されているカメラ管理用データベースと、前記監視カメラから受信した映像情報と、前記監視カメラで撮影された時刻を特定する撮影時刻情報と、撮影に使用された監視カメラのカメラ固有情報とを関係付けて映像情報管理用データベースに登録する手段と、を有することを特徴とする撮影映像管理システム。
【請求項２】
前記映像収集用ＩＣカードリーダライタは、前記ＩＣカードに記憶されているカード固有情報と撮影時刻情報とカメラ固有情報とを読み取る手段と、前記読み取った情報を前記サーバに送信する手段とを有し、
前記サーバは、前記映像情報管理用データベースに登録されている撮影時刻情報及びカメラ固有情報と、前記映像収集用ＩＣカードリーダライタから受信した撮影時刻情報及びカメラ固有情報とを照合する手段と、前記照合で一致した際に、前記映像情報管理用データベースから照合一致した撮影時刻情報と関係付けられて登録されている映像情報を抽出する抽出手段と、前記抽出手段で抽出された映像情報と、前記映像収集用ＩＣカードリーダライタから受信したカード固有情報とを関係付けて、人物特定映像情報データベースに登録する手段とを有することを特徴とする請求項１記載の撮影映像管理システム。
【発明の詳細な説明】
【技術分野】
【０００１】
本発明は、監視カメラにより撮影された映像情報の中から、特定の人物が映っている映像情報だけを抽出してデータベースに保存する撮影映像管理システムに関する。
【背景技術】
【０００２】
従来、例えば管理された建物や敷地などに侵入した人物が不審者であるか否かを確認するために、監視カメラを設置して撮影したり、更に、それらの侵入した人物が不正行為を行ったか否かを事後に確認できるように、撮影した映像情報をデータベースに記憶させて保存させておくなどしている。
これらの監視カメラによる撮影は、常時連続して長時間撮影する場合や、人体から輻射される遠赤外線を赤外線センサーで検知可能にしておき、赤外線センサーが遠赤外線を検知した際に、待機状態の監視カメラを駆動させて撮影を開始させるなど、目的や用途に応じた様々な撮影方法がある。（例えば、特許文献１及び３参照）
【０００３】
【特許文献１】特開平６−１５３０３２号公報
【特許文献２】特開２００３−１６４９８号公報
【特許文献３】特開２００５−２０８８７８号公報
【０００４】
これらの監視カメラで撮影された映像情報を、映像情報データベースなどに記憶させて保存させておくことは、不正行為や犯罪などが発生した場合に、犯人の特定や、犯行の証拠などとして映像情報を有効に活用できるので効果的である。
また近年においては、社員などの信用性の高い人物による内部犯罪も多発しており、たとえ、不審人物でなくても社員の勤務中の行動や、許可を受けた訪問者の行動などを監視カメラで撮影して、それらの映像情報を映像情報データベースなどに記憶させて保存しておくことで、不正行為や犯罪などが発生した場合の、犯人特定や、犯行の証拠などとして映像情報を有効に活用できるようにしている。
【０００５】
しかしながら、映像情報データベースに記憶させた映像情報が長時間に亘って保存されている場合には、それらの映像情報の中から特定の人物だけが撮影されている映像情報部分を見つけるのに調査時間がかかったり、また労力がかかるなどの不便があるという問題がある。
特に、内部犯罪などのように、予め犯人である可能性が高い人物が予想されやすい場合には、その特定の人物だけが映っている映像情報だけを早く見て確認することが重要であるが、不必要な映像情報も含めて確認しなければならないために調査時間がかかったり、また労力がかかり犯人の特定が遅れてしまうという問題がある。
【発明の開示】
【発明が解決しようとする課題】
【０００６】
そこで、本発明は、監視カメラにより撮影された映像情報を、映像情報管理用データベースに保存すると共に、特定の人物が映っている映像情報だけを簡単に抽出できるようにした撮影映像管理システムを提供する。
更に、本発明は、ＩＣカードから読み取ったカード固有情報に基づいて、特定の人物が映っている映像情報だけを収集して人物特定映像データベースに保存できるようにした撮影映像管理システムを提供する。
【課題を解決するための手段】
【０００７】
本発明の撮影映像管理システムは、カード固有情報が記憶されているＩＣカードと、本人認証が必要な場所に設置されている本人の認証用ＩＣカードリーダライタと、特定人物が撮影されている映像を収集する際に使用する映像収集用ＩＣカードリーダライタと、前記認証用ＩＣカードリーダライタの使用者の映像が取得可能に設置されている監視カメラと、前記認証用ＩＣカードリーダライタと前記映像収集用ＩＣカードリーダライタと前記監視カメラとが通信可能に接続されているサーバとを有する撮影映像管理システムであって、前記認証用ＩＣカードリーダライタは、前記ＩＣカードからカード固有情報を読み取る手段と、前記サーバに前記カード固有情報を送信する手段と、前記サーバから撮影時刻情報と、撮影に使用された監視カメラの特定が可能に定められたカメラ固有情報とを受信する手段と、前記撮影時刻情報と前記カメラ固有情報とを関係付けて前記ＩＣカードに書き込む手段とを有し、前記サーバは、監視カメラと、該監視カメラにより撮影可能な認証用ＩＣカードリーダライタとの関係が判るように、カメラ固有情報と、認証用ＩＣカードリーダライタを特定可能に定めたリーダライタ固有情報とを関係付けて登録されているカメラ管理用データベースと、前記監視カメラから受信した映像情報と、前記監視カメラで撮影された時刻を特定する撮影時刻情報と、撮影に使用された監視カメラのカメラ固有情報とを関係付けて映像情報管理用データベースに登録する手段と、を有することを特徴とする。
【０００８】
また、本発明の撮影映像管理システムは、前記映像収集用ＩＣカードリーダライタは、前記ＩＣカードに記憶されているカード固有情報と撮影時刻情報とカメラ固有情報とを読み取る手段と、前記読み取った情報を前記サーバに送信する手段とを有し、前記サーバは、前記映像情報管理用データベースに登録されている撮影時刻情報及びカメラ固有情報と、前記映像収集用ＩＣカードリーダライタから受信した撮影時刻情報及びカメラ固有情報とを照合する手段と、前記照合で一致した際に、前記映像情報管理用データベースから照合一致した撮影時刻情報と関係付けられて登録されている映像情報を抽出する抽出手段と、前記抽出手段で抽出された映像情報と、前記映像収集用ＩＣカードリーダライタから受信したカード固有情報とを関係付けて、人物特定映像情報データベースに登録する手段とを有することを特徴とする。
【発明を実施するための最良の形態】
【０００９】
以下、本発明の実施形態に係る撮影映像管理システムについて、図面に基づいて詳細に説明する。
図１は、本発明の実施形態に係る撮影映像管理システムの概要を説明する図、図２は、本発明の実施形態に係る撮影映像管理システムのシステムブロック図、図３及び図４は、本発明の実施形態に係る撮影映像管理システムの処理手順を示すフローチャートである。
【００１０】
まず、本発明の実施形態に係る撮影映像管理システムの概要を、図１に基づいて説明する。
図１には、部屋１の室内にパソコン２ａ、ファクシミリ２ｂ、コピー機２ｃ、施錠付きキャビネット２ｄなどの複数の機器２が備えられ、また、それぞれの機器２には、本人の認証用ＩＣカードリーダライタ３が備えられている。
認証用ＩＣカードリーダライタ３は、それらの機器２を使用する際に、その利用者８が本人認証を得て機器２の使用を可能にするために、利用者が所持する非接触用のＩＣカードからカード固有情報を読み取るために備えられている。
また、非接触用のＩＣカードには、予めカード固有情報が登録され、ＩＣカードリーダライタに利用者がＩＣカードを近づけることで、ＩＣカードからカード固有情報がＩＣカードリーダライタで読み取られるようになっている。
【００１１】
また、ＩＣカードリーダライタは、部屋１の入退出に使用するドア４の入口側と、更に部屋１から出る際の出口側にもそれぞれ備えられている。
ドア４の入口側に備えられている認証用ＩＣカードリーダライタ５は、室内に入る際に、利用者が所持する非接触用のＩＣカード７からカード固有情報を読み取り、本人認証を受けることを条件にドア施開錠装置９が開錠しドア３から入室できるようにしてある。
また、ドア４の出口側に備えられている映像収集用ＩＣカードリーダライタ６は、ＩＣカードの所持者が監視カメラで撮影された映像だけを抽出して収集する際にも用いられ、本人認証用としても兼用して用いられる。
【００１２】
そして、各々のＩＣカードリーダライタ３が備えられている場所には、撮影カメラ１０が備えられており、各々のＩＣカードリーダライタを利用してＩＣカード７に記憶されている情報の読み取りを行わせる利用者８の姿が、撮影カメラ１０により撮影可能となっている。
また、パソコン２ａ、ファクシミリ２ｂ、コピー機２ｃ、施錠付きキャビネット２ｄなどの複数の機器２と、認証用ＩＣカードリーダライタ３，５と、映像収集用ＩＣカードリーダライタ６と、ドア施開錠装置９と、撮影カメラ１０とは、通信線１１を介してサーバ１２と通信可能に接続されている。
【００１３】
次に、図２のシステムブロック図に基づいて詳細に説明する。
尚、部屋１に備えられている複数の機器２には、各機器２ごとに認証用ＩＣカードリーダライタ３と監視カメラ１０とが備えられているため、図２においては、一ヶ所の監視領域にある機器２と、認証用ＩＣカードリーダライタ３と、監視カメラ１０との関係について示されている。
まず、認証用ＩＣカードリーダライタ３には、ＩＣカード７に記憶されているカード固有情報を非接触方式で読み取らせる機能を有するカード固有情報読取手段１３と、ＩＣカード７に対して、撮影時刻情報とカメラ固有情報とを非接触方式で書き込ませる機能を有する撮影時刻情報カメラ固有情報書込手段１４と、記憶手段１５と、制御手段１６と、送受信手段１７と、認証用ＩＣカードリーダライタ３からサーバ１２にカード固有情報を送信するためのカード固有情報送信手段１８と、サーバ１２から撮影時刻情報とカメラ固有情報とを受信する撮影時刻情報カメラ固有情報受信手段１９と備えている。
【００１４】
そして、機器２と認証用ＩＣカードリーダライタ３と監視カメラ１０とは、通信線１１を介してサーバ１２と通信可能に接続されている。
監視カメラ１０で撮影された映像情報は、通信線１１を介してサーバ１２と送信され、サーバ１２側で本人認証処理が行われる。
また、機器２の使用を可能にするための使用許可を示す指示信号は、サーバ１２から通信線１１を介して機器２へ送信され、機器２はその指示信号を受信することを利用者による使用が行えるようにしてある。
【００１５】
次に、ドア出口側２１には、監視カメラ１０と、映像収集用ＩＣカードリーダライタ６とが備えられている。
そして、映像収集用ＩＣカードリーダライタ６には、ＩＣカード７に記憶されている情報を非接触方式で読み取らせる機能を有するカード情報読取手段２１と、カード情報読取手段２１で読み取った情報をサーバ１２に送信させるカード読取情報送信手段２２と、送受信手段２３と、制御手段２４とが備えられている。
ここで、カード情報読取手段２１によりＩＣカード７から読み取る情報としては、既に認証用ＩＣカードリーダライタ３によりＩＣカード７に書き込まれている撮影時刻情報及びカメラ固有情報である。
つまり、利用者が、認証用ＩＣカードリーダライタ３を使用する際にＩＣカード７に書き込まれた全ての撮影時刻情報及びカメラ固有情報を、利用者が部屋１から退室する際に映像収集用ＩＣカードリーダライタ６で読み取らせる。
【００１６】
そして、映像収集用ＩＣカードリーダライタ６で読み取らせた全ての撮影時刻情報及びカメラ固有情報を、カード読取情報送信手段２２により送受信手段２３で通信線１１を介してサーバ１２に送信するように構成されている。
【００１７】
次に、サーバ１２には、送受信手段３０、照合手段３１、抽出手段３２、映像情報登録手段３３、認証処理手段３４、人物特定映像情報登録手段３５、映像情報管理用データベース３６、人物特定映像情報データベース３７、社員情報データベース３８、カメラ管理用データベース３９、制御手段４０、記憶手段４１などが備えられている。
【００１８】
カメラ管理用データベース３９には、監視カメラと、該監視カメラにより撮影可能な認証用ＩＣカードリーダライタとの関係が判るように、予めカメラ固有情報と、認証用ＩＣカードリーダライタを特定可能に定めたリーダライタ固有情報とが関係付けられて登録されている。
また、映像情報登録手段３３は、監視カメラ１０から受信した映像情報と、それらの監視カメラ１０で撮影された時刻を特定する撮影時刻情報と、撮影に使用された監視カメラ１０のカメラ固有情報とを関係付けて映像情報管理用データベース３６に登録する機能を有している。
【００１９】
照合手段３１は、映像情報管理用データベース３６に登録されている撮影時刻情報及びカメラ固有情報と、映像収集用ＩＣカードリーダライタ６から受信した撮影時刻情報及びカメラ固有情報とを照合する機能を有している。
また、抽出手段３２は、照合手段３１での照合で一致した際に、映像情報管理用データベース３６から照合一致した撮影時刻情報と関係付けられて登録されている映像情報を抽出する機能を有している。
人物特定映像情報登録手段３５は、抽出手段３２で抽出された映像情報と、映像収集用ＩＣカードリーダライタ６から受信したカード固有情報とを関係付けて、人物特定映像情報データベース３７に登録する機能を有している。
【００２０】
また、社員情報データベース３８には、カード固有情報と関係付けられて社員の氏名や所属などの個人情報が登録されいる。
認証処理手段３４は、各々の認証用ＩＣカードリーダライタでＩＣカード７から読み取られたカード固有情報を、社員情報データベース３８の登録情報に基づいて本人認証処理を行う機能を有している。
【００２１】
次に、本発明の実施形態に係る撮影映像管理システムの処理手順を、図３に示すフローチャート図に基づいて説明する。
まず、利用者８が、ドア４から部屋１に入る際に、入口側に備えられているＩＣカードリーダライタ５にＩＣカード７を近づけて、ＩＣカード７に記憶されているカード固有情報を読み取らせる。（ステップＳ１）
その読み取られたカード固有情報は、ＩＣカードリーダライタ５からサーバ１２に送信される。（ステップＳ２）
そして、サーバ１２の社員情報データベースに登録されている情報に基づく認証処理が行われる。（ステップＳ３）
この認証処理で認証が受けられた場合には、サーバ１２からドア施解錠装置９に対して解錠することを指示する解錠指示信号が送信される。（ステップＳ４）
これにより、利用者８は、ドア４を開けて部屋１の内部に入れるようになる。
【００２２】
次に、利用者８が部屋１に入った後において、パソコン２ａ、ファクシミリ２ｂ、コピー機２ｃ、施錠付きキャビネット２ｄなどの機器２を使用する際に、それらの機器２に対応して備えられているＩＣカードリーダライタ３にＩＣカード７を近づけて、ＩＣカード７に記憶されているカード固有情報を読み取らせる。（ステップＳ５）
また、各監視カメラ１０は、常時撮影状態にあって、撮影された映像情報をサーバ１２に送信し、サーバ１２の映像情報管理データベース３６に撮影時刻情報と関係付けた状態で登録されており、利用者８がＩＣカードリーダライタ３にＩＣカード７を近づけて、ＩＣカード７に記憶されているカード固有情報を読み取らせている行為も監視カメラ１０によって撮影され、それらの映像情報がサーバ１２の映像情報管理データベース３６に撮影時刻情報と関係付けられて登録される。
【００２３】
そして、ＩＣカードリーダライタ３はサーバに対して、ＩＣカード７から読み取ったカード固有情報の送信を行なう。（ステップＳ６）
サーバ１２は、社員情報データベースに登録されている情報に基づき、受信したカード固有情報の認証処理を行う。（ステップＳ７）
この認証処理で認証が受けられた場合には、サーバ１２から機器２に使用許可信号が送信されて機器２が利用できるようすると共に、サーバ１２からＩＣカードリーダライタ３に対して、その時の時刻である撮影時刻情報と、その場を撮影している監視カメラ１０と特定可能なカメラ固有情報とを送信する。（ステップＳ８）
【００２４】
次に、ＩＣカードリーダライタ３からＩＣカード７の記憶手段に対して、それらの撮影時刻情報とカメラ固有情報とを関係付けた状態で書き込み登録を行う。（ステップＳ９）
これにより、利用者８が複数の機器２を順次使用した場合でも、同様の処理が行われて、ＩＣカード７の記憶手段には、機器２を使用する毎に、撮影時刻情報及びカメラ固有情報が順次記憶されていく。
【００２５】
そして、利用者８が部屋１から退出する際に、ドア４の出口側に備えられているＩＣカードリーダライタ６にＩＣカード７を近づけて、ＩＣカード７に記憶されているカード固有情報、撮影時刻情報、カメラ固有情報とを読み取らせる。（ステップＳ１０）
そして、ＩＣカードリーダライタ６はサーバ１２に対して、ＩＣカード７から読み取ったそれらの情報の送信を行なう。（ステップＳ１１）
サーバ１２は、社員情報データベースに登録されている情報に基づき、受信したカード固有情報の認証処理を行う。（ステップＳ１２）
この認証処理で認証が受けられた場合には、サーバ１２からドア施解錠装置９に対して解錠することを指示する解錠指示信号が送信される。（ステップＳ１３）
これにより、利用者８は、ドア４を開けて部屋１から退出できるようになる。
【００２６】
更に、認証が受けられた場合には、サーバ１２が受信した撮影時刻情報及びカメラ固有情報を、映像情報管理用データベース３６に登録されている撮影時刻情報及びカメラ固有情報と照合して、その特定される監視カメラにより、それらの撮影時刻に撮影された映像情報を抽出する。（ステップＳ１４）
次に、抽出された映像情報を、人物特定映像情報データベース３７に登録させるが、この登録に際には、その映像情報と、撮影時刻情報と、カード固有情報とを関係付けた状態で登録する。（ステップＳ１５）
【００２７】
これにより、後日に特定の社員などの利用者が映っている映像をまとめて見たい場合でも、社員情報データベース３８からその社員が所持するカードのカード固有情報を検出し、人物特定映像情報データベース３７の登録情報の中から、そのカード固有情報と一致する映像情報や撮影時刻情報を簡単に抽出させてディスプレイに映して見ることが出来るようにしてある。
【図面の簡単な説明】
【００２８】
【図１】本発明の実施形態に係る撮影映像管理システムの概要を説明する図である。
【図２】本発明の実施形態に係る撮影映像管理システムのシステムブロック図である。
【図３】本発明の実施形態に係る撮影映像管理システムの処理手順を示すフローチャートである。
【図４】本発明の実施形態に係る撮影映像管理システムの処理手順を示すフローチャートである。
【符号の説明】
【００２９】
１  部屋
２  機器
２ａ  パソコン
２ｂ  ファクシミリ
２ｃ  コピー機
２ｄ
３，５  認証用ＩＣカードリーダライタ
４  ドア
６  映像収集用ＩＣカードリーダライタ
７  ＩＣカード
８  利用者
９  ドア施開錠装置
１０  撮影カメラ
１１  通信線
１２  サーバ
１３  カード固有情報読取手段
１４  撮影時刻情報カメラ固有情報書込手段
１５  記憶手段
１６，２４，４０  制御手段
１７，２３，３０  送受信手段
１８  カード固有情報送信手段
１９  撮影時刻情報カメラ固有情報受信手段
２１  カード情報読取手段
２２  カード読取情報送信手段
３１  照合手段
３２  抽出手段
３３  映像情報登録手段
３４  認証処理手段
３５  人物特定映像情報登録手段
３６  映像情報管理用データベース
３７  人物特定映像情報データベース
３８  社員情報データベース
３９  カメラ管理用データベース
【図１】
2007312149.tif 000003
【図２】
2007312149.tif 000004
【図３】
2007312149.tif 000005
【図４】
2007312149.tif 000006
【手続補正書】
【提出日】平成18年6月6日(2006.6.6)
【手続補正１】
【補正対象書類名】明細書
【補正対象項目名】全文
【補正方法】変更
【補正の内容】
【発明の詳細な説明】
【技術分野】
【０００１】
本発明は、監視カメラにより撮影された映像情報の中から、特定の人物が映っている映像情報だけを抽出してデータベースに保存する撮影映像管理システムに関する。
【背景技術】
【０００２】
従来、例えば管理された建物や敷地などに侵入した人物が不審者であるか否かを確認するために、監視カメラを設置して撮影したり、更に、それらの侵入した人物が不正行為を行ったか否かを事後に確認できるように、撮影した映像情報をデータベースに記憶させて保存させておくなどしている。
これらの監視カメラによる撮影は、常時連続して長時間撮影する場合や、人体から輻射される遠赤外線を赤外線センサーで検知可能にしておき、赤外線センサーが遠赤外線を検知した際に、待機状態の監視カメラを駆動させて撮影を開始させるなど、目的や用途に応じた様々な撮影方法がある。（例えば、特許文献１及び３参照）
【０００３】
【特許文献１】特開平６−１５３０３２号公報
【特許文献２】特開２００３−１６４９８号公報
【特許文献３】特開２００５−２０８８７８号公報
【０００４】
これらの監視カメラで撮影された映像情報を、映像情報データベースなどに記憶させて保存させておくことは、不正行為や犯罪などが発生した場合に、犯人の特定や、犯行の証拠などとして映像情報を有効に活用できるので効果的である。
また近年においては、社員などの信用性の高い人物による内部犯罪も多発しており、たとえ、不審人物でなくても社員の勤務中の行動や、許可を受けた訪問者の行動などを監視カメラで撮影して、それらの映像情報を映像情報データベースなどに記憶させて保存しておくことで、不正行為や犯罪などが発生した場合の、犯人特定や、犯行の証拠などとして映像情報を有効に活用できるようにしている。
【０００５】
しかしながら、映像情報データベースに記憶させた映像情報が長時間に亘って保存されている場合には、それらの映像情報の中から特定の人物だけが撮影されている映像情報部分を見つけるのに調査時間がかかったり、また労力がかかるなどの不便があるという問題がある。
特に、内部犯罪などのように、予め犯人である可能性が高い人物が予想されやすい場合には、その特定の人物だけが映っている映像情報だけを早く見て確認することが重要であるが、不必要な映像情報も含めて確認しなければならないために調査時間がかかったり、また労力がかかり犯人の特定が遅れてしまうという問題がある。
【発明の開示】
【発明が解決しようとする課題】
【０００６】
そこで、本発明は、監視カメラにより撮影された映像情報を、映像情報管理用データベースに保存すると共に、特定の人物が映っている映像情報だけを簡単に抽出できるようにした撮影映像管理システムを提供する。
更に、本発明は、ＩＣカードから読み取ったカード固有情報に基づいて、特定の人物が映っている映像情報だけを収集して人物特定映像データベースに保存できるようにした撮影映像管理システムを提供する。
【課題を解決するための手段】
【０００７】
本発明の撮影映像管理システムは、カード固有情報が記憶されているＩＣカードと、本人認証が必要な場所に設置されている本人の認証用ＩＣカードリーダライタと、特定人物が撮影されている映像を収集する際に使用する映像収集用ＩＣカードリーダライタと、前記認証用ＩＣカードリーダライタの使用者の映像が取得可能に設置されている監視カメラと、前記認証用ＩＣカードリーダライタと前記映像収集用ＩＣカードリーダライタと前記監視カメラとが通信可能に接続されているサーバとを有する撮影映像管理システムであって、前記認証用ＩＣカードリーダライタは、前記ＩＣカードからカード固有情報を読み取る手段と、前記サーバに前記カード固有情報を送信する手段と、前記サーバから撮影時刻情報と、撮影に使用された監視カメラの特定が可能に定められたカメラ固有情報とを受信する手段と、前記撮影時刻情報と前記カメラ固有情報とを関係付けて前記ＩＣカードに書き込む手段とを有し、前記サーバは、監視カメラと、該監視カメラにより撮影可能な認証用ＩＣカードリーダライタとの関係が判るように、カメラ固有情報と、認証用ＩＣカードリーダライタを特定可能に定めたリーダライタ固有情報とを関係付けて登録されているカメラ管理用データベースと、前記監視カメラから受信した映像情報と、前記監視カメラで撮影された時刻を特定する撮影時刻情報と、撮影に使用された監視カメラのカメラ固有情報とを関係付けて映像情報管理用データベースに登録する手段と、を有することを特徴とする。
【０００８】
また、本発明の撮影映像管理システムは、前記映像収集用ＩＣカードリーダライタは、前記ＩＣカードに記憶されているカード固有情報と撮影時刻情報とカメラ固有情報とを読み取る手段と、前記読み取った情報を前記サーバに送信する手段とを有し、前記サーバは、前記映像情報管理用データベースに登録されている撮影時刻情報及びカメラ固有情報と、前記映像収集用ＩＣカードリーダライタから受信した撮影時刻情報及びカメラ固有情報とを照合する手段と、前記照合で一致した際に、前記映像情報管理用データベースから照合一致した撮影時刻情報と関係付けられて登録されている映像情報を抽出する抽出手段と、前記抽出手段で抽出された映像情報と、前記映像収集用ＩＣカードリーダライタから受信したカード固有情報とを関係付けて、人物特定映像情報データベースに登録する手段とを有することを特徴とする。
【発明の効果】
【０００９】
本発明の撮影映像管理システムは、映像情報管理用データベースに登録されている撮影時刻情報及びカメラ固有情報と、映像収集用ＩＣカードリーダライタから受信した撮影時刻情報及びカメラ固有情報とを照合し、その照合で一致した際に映像情報管理用データベースから照合一致した撮影時刻情報と関係付けられて登録されている映像情報を抽出することができるので、監視カメラにより撮影された映像情報を、映像情報管理用データベースに保存すると共に、特定の人物が映っている映像情報だけを簡単に抽出できるという効果がある。
【００１０】
更に、本発明は、抽出手段で抽出された映像情報と、映像収集用ＩＣカードリーダライタから受信したカード固有情報とを関係付けて、人物特定映像情報データベースに登録する手段を有しているので、ＩＣカードから読み取ったカード固有情報に基づいて、特定の人物が映っている映像情報だけを収集して人物特定映像データベースに保存できるという効果がある。
【発明を実施するための最良の形態】
【００１１】
以下、本発明の実施形態に係る撮影映像管理システムについて、図面に基づいて詳細に説明する。
図１は、本発明の実施形態に係る撮影映像管理システムの概要を説明する図、図２は、本発明の実施形態に係る撮影映像管理システムのシステムブロック図、図３及び図４は、本発明の実施形態に係る撮影映像管理システムの処理手順を示すフローチャートである。
【００１２】
まず、本発明の実施形態に係る撮影映像管理システムの概要を、図１に基づいて説明する。
図１には、部屋１の室内にパソコン２ａ、ファクシミリ２ｂ、コピー機２ｃ、施錠付きキャビネット２ｄなどの複数の機器２が備えられ、また、それぞれの機器２には、本人の認証用ＩＣカードリーダライタ３が備えられている。
認証用ＩＣカードリーダライタ３は、それらの機器２を使用する際に、その利用者８が本人認証を得て機器２の使用を可能にするために、利用者が所持する非接触用のＩＣカードからカード固有情報を読み取るために備えられている。
また、非接触用のＩＣカードには、予めカード固有情報が登録され、ＩＣカードリーダライタに利用者がＩＣカードを近づけることで、ＩＣカードからカード固有情報がＩＣカードリーダライタで読み取られるようになっている。
【００１３】
また、ＩＣカードリーダライタは、部屋１の入退出に使用するドア４の入口側と、更に部屋１から出る際の出口側にもそれぞれ備えられている。
ドア４の入口側に備えられている認証用ＩＣカードリーダライタ５は、室内に入る際に、利用者が所持する非接触用のＩＣカード７からカード固有情報を読み取り、本人認証を受けることを条件にドア施開錠装置９が開錠しドア３から入室できるようにしてある。
また、ドア４の出口側に備えられている映像収集用ＩＣカードリーダライタ６は、ＩＣカードの所持者が監視カメラで撮影された映像だけを抽出して収集する際にも用いられ、本人認証用としても兼用して用いられる。
【００１４】
そして、各々のＩＣカードリーダライタ３が備えられている場所には、撮影カメラ１０が備えられており、各々のＩＣカードリーダライタを利用してＩＣカード７に記憶されている情報の読み取りを行わせる利用者８の姿が、撮影カメラ１０により撮影可能となっている。
また、パソコン２ａ、ファクシミリ２ｂ、コピー機２ｃ、施錠付きキャビネット２ｄなどの複数の機器２と、認証用ＩＣカードリーダライタ３，５と、映像収集用ＩＣカードリーダライタ６と、ドア施開錠装置９と、撮影カメラ１０とは、通信線１１を介してサーバ１２と通信可能に接続されている。
【００１５】
次に、図２のシステムブロック図に基づいて詳細に説明する。
尚、部屋１に備えられている複数の機器２には、各機器２ごとに認証用ＩＣカードリーダライタ３と監視カメラ１０とが備えられているため、図２においては、一ヶ所の監視領域にある機器２と、認証用ＩＣカードリーダライタ３と、監視カメラ１０との関係について示されている。
まず、認証用ＩＣカードリーダライタ３には、ＩＣカード７に記憶されているカード固有情報を非接触方式で読み取らせる機能を有するカード固有情報読取手段１３と、ＩＣカード７に対して、撮影時刻情報とカメラ固有情報とを非接触方式で書き込ませる機能を有する撮影時刻情報カメラ固有情報書込手段１４と、記憶手段１５と、制御手段１６と、送受信手段１７と、認証用ＩＣカードリーダライタ３からサーバ１２にカード固有情報を送信するためのカード固有情報送信手段１８と、サーバ１２から撮影時刻情報とカメラ固有情報とを受信する撮影時刻情報カメラ固有情報受信手段１９と備えている。
【００１６】
そして、機器２と認証用ＩＣカードリーダライタ３と監視カメラ１０とは、通信線１１を介してサーバ１２と通信可能に接続されている。
監視カメラ１０で撮影された映像情報は、通信線１１を介してサーバ１２と送信され、サーバ１２側で本人認証処理が行われる。
また、機器２の使用を可能にするための使用許可を示す指示信号は、サーバ１２から通信線１１を介して機器２へ送信され、機器２はその指示信号を受信することを利用者による使用が行えるようにしてある。
【００１７】
次に、ドア出口側２１には、監視カメラ１０と、映像収集用ＩＣカードリーダライタ６とが備えられている。
そして、映像収集用ＩＣカードリーダライタ６には、ＩＣカード７に記憶されている情報を非接触方式で読み取らせる機能を有するカード情報読取手段２１と、カード情報読取手段２１で読み取った情報をサーバ１２に送信させるカード読取情報送信手段２２と、送受信手段２３と、制御手段２４とが備えられている。
ここで、カード情報読取手段２１によりＩＣカード７から読み取る情報としては、既に認証用ＩＣカードリーダライタ３によりＩＣカード７に書き込まれている撮影時刻情報及びカメラ固有情報である。
つまり、利用者が、認証用ＩＣカードリーダライタ３を使用する際にＩＣカード７に書き込まれた全ての撮影時刻情報及びカメラ固有情報を、利用者が部屋１から退室する際に映像収集用ＩＣカードリーダライタ６で読み取らせる。
【００１８】
そして、映像収集用ＩＣカードリーダライタ６で読み取らせた全ての撮影時刻情報及びカメラ固有情報を、カード読取情報送信手段２２により送受信手段２３で通信線１１を介してサーバ１２に送信するように構成されている。
【００１９】
次に、サーバ１２には、送受信手段３０、照合手段３１、抽出手段３２、映像情報登録手段３３、認証処理手段３４、人物特定映像情報登録手段３５、映像情報管理用データベース３６、人物特定映像情報データベース３７、社員情報データベース３８、カメラ管理用データベース３９、制御手段４０、記憶手段４１などが備えられている。
【００２０】
カメラ管理用データベース３９には、監視カメラと、該監視カメラにより撮影可能な認証用ＩＣカードリーダライタとの関係が判るように、予めカメラ固有情報と、認証用ＩＣカードリーダライタを特定可能に定めたリーダライタ固有情報とが関係付けられて登録されている。
また、映像情報登録手段３３は、監視カメラ１０から受信した映像情報と、それらの監視カメラ１０で撮影された時刻を特定する撮影時刻情報と、撮影に使用された監視カメラ１０のカメラ固有情報とを関係付けて映像情報管理用データベース３６に登録する機能を有している。
【００２１】
照合手段３１は、映像情報管理用データベース３６に登録されている撮影時刻情報及びカメラ固有情報と、映像収集用ＩＣカードリーダライタ６から受信した撮影時刻情報及びカメラ固有情報とを照合する機能を有している。
また、抽出手段３２は、照合手段３１での照合で一致した際に、映像情報管理用データベース３６から照合一致した撮影時刻情報と関係付けられて登録されている映像情報を抽出する機能を有している。
人物特定映像情報登録手段３５は、抽出手段３２で抽出された映像情報と、映像収集用ＩＣカードリーダライタ６から受信したカード固有情報とを関係付けて、人物特定映像情報データベース３７に登録する機能を有している。
【００２２】
また、社員情報データベース３８には、カード固有情報と関係付けられて社員の氏名や所属などの個人情報が登録されいる。
認証処理手段３４は、各々の認証用ＩＣカードリーダライタでＩＣカード７から読み取られたカード固有情報を、社員情報データベース３８の登録情報に基づいて本人認証処理を行う機能を有している。
【００２３】
次に、本発明の実施形態に係る撮影映像管理システムの処理手順を、図３に示すフローチャート図に基づいて説明する。
まず、利用者８が、ドア４から部屋１に入る際に、入口側に備えられているＩＣカードリーダライタ５にＩＣカード７を近づけて、ＩＣカード７に記憶されているカード固有情報を読み取らせる。（ステップＳ１）
その読み取られたカード固有情報は、ＩＣカードリーダライタ５からサーバ１２に送信される。（ステップＳ２）
そして、サーバ１２の社員情報データベースに登録されている情報に基づく認証処理が行われる。（ステップＳ３）
この認証処理で認証が受けられた場合には、サーバ１２からドア施解錠装置９に対して解錠することを指示する解錠指示信号が送信される。（ステップＳ４）
これにより、利用者８は、ドア４を開けて部屋１の内部に入れるようになる。
【００２４】
次に、利用者８が部屋１に入った後において、パソコン２ａ、ファクシミリ２ｂ、コピー機２ｃ、施錠付きキャビネット２ｄなどの機器２を使用する際に、それらの機器２に対応して備えられているＩＣカードリーダライタ３にＩＣカード７を近づけて、ＩＣカード７に記憶されているカード固有情報を読み取らせる。（ステップＳ５）
また、各監視カメラ１０は、常時撮影状態にあって、撮影された映像情報をサーバ１２に送信し、サーバ１２の映像情報管理データベース３６に撮影時刻情報と関係付けた状態で登録されており、利用者８がＩＣカードリーダライタ３にＩＣカード７を近づけて、ＩＣカード７に記憶されているカード固有情報を読み取らせている行為も監視カメラ１０によって撮影され、それらの映像情報がサーバ１２の映像情報管理データベース３６に撮影時刻情報と関係付けられて登録される。
【００２５】
そして、ＩＣカードリーダライタ３はサーバに対して、ＩＣカード７から読み取ったカード固有情報の送信を行なう。（ステップＳ６）
サーバ１２は、社員情報データベースに登録されている情報に基づき、受信したカード固有情報の認証処理を行う。（ステップＳ７）
この認証処理で認証が受けられた場合には、サーバ１２から機器２に使用許可信号が送信されて機器２が利用できるようすると共に、サーバ１２からＩＣカードリーダライタ３に対して、その時の時刻である撮影時刻情報と、その場を撮影している監視カメラ１０と特定可能なカメラ固有情報とを送信する。（ステップＳ８）
【００２６】
次に、ＩＣカードリーダライタ３からＩＣカード７の記憶手段に対して、それらの撮影時刻情報とカメラ固有情報とを関係付けた状態で書き込み登録を行う。（ステップＳ９）
これにより、利用者８が複数の機器２を順次使用した場合でも、同様の処理が行われて、ＩＣカード７の記憶手段には、機器２を使用する毎に、撮影時刻情報及びカメラ固有情報が順次記憶されていく。
【００２７】
そして、利用者８が部屋１から退出する際に、ドア４の出口側に備えられているＩＣカードリーダライタ６にＩＣカード７を近づけて、ＩＣカード７に記憶されているカード固有情報、撮影時刻情報、カメラ固有情報とを読み取らせる。（ステップＳ１０）
そして、ＩＣカードリーダライタ６はサーバ１２に対して、ＩＣカード７から読み取ったそれらの情報の送信を行なう。（ステップＳ１１）
サーバ１２は、社員情報データベースに登録されている情報に基づき、受信したカード固有情報の認証処理を行う。（ステップＳ１２）
この認証処理で認証が受けられた場合には、サーバ１２からドア施解錠装置９に対して解錠することを指示する解錠指示信号が送信される。（ステップＳ１３）
これにより、利用者８は、ドア４を開けて部屋１から退出できるようになる。
【００２８】
更に、認証が受けられた場合には、サーバ１２が受信した撮影時刻情報及びカメラ固有情報を、映像情報管理用データベース３６に登録されている撮影時刻情報及びカメラ固有情報と照合して、その特定される監視カメラにより、それらの撮影時刻に撮影された映像情報を抽出する。（ステップＳ１４）
次に、抽出された映像情報を、人物特定映像情報データベース３７に登録させるが、この登録に際には、その映像情報と、撮影時刻情報と、カード固有情報とを関係付けた状態で登録する。（ステップＳ１５）
【００２９】
これにより、後日に特定の社員などの利用者が映っている映像をまとめて見たい場合でも、社員情報データベース３８からその社員が所持するカードのカード固有情報を検出し、人物特定映像情報データベース３７の登録情報の中から、そのカード固有情報と一致する映像情報や撮影時刻情報を簡単に抽出させてディスプレイに映して見ることが出来るようにしてある。
【図面の簡単な説明】
【００３０】
【図１】本発明の実施形態に係る撮影映像管理システムの概要を説明する図である。
【図２】本発明の実施形態に係る撮影映像管理システムのシステムブロック図である。
【図３】本発明の実施形態に係る撮影映像管理システムの処理手順を示すフローチャートである。
【図４】本発明の実施形態に係る撮影映像管理システムの処理手順を示すフローチャートである。
【符号の説明】
【００３１】
１  部屋
２  機器
２ａ  パソコン
２ｂ  ファクシミリ
２ｃ  コピー機
２ｄ
３，５  認証用ＩＣカードリーダライタ
４  ドア
６  映像収集用ＩＣカードリーダライタ
７  ＩＣカード
８  利用者
９  ドア施開錠装置
１０  撮影カメラ
１１  通信線
１２  サーバ
１３  カード固有情報読取手段
１４  撮影時刻情報カメラ固有情報書込手段
１５  記憶手段
１６，２４，４０  制御手段
１７，２３，３０  送受信手段
１８  カード固有情報送信手段
１９  撮影時刻情報カメラ固有情報受信手段
２１  カード情報読取手段
２２  カード読取情報送信手段
３１  照合手段
３２  抽出手段
３３  映像情報登録手段
３４  認証処理手段
３５  人物特定映像情報登録手段
３６  映像情報管理用データベース
３７  人物特定映像情報データベース
３８  社員情報データベース
３９  カメラ管理用データベース